(57)【要約】  発音モジュールおよび表示装置を提供する。該発音モジュールは、発音部材（１０）と、バックプレート（２０）と、少なくとも１つの弾性部材（３０）と、を備える。弾性部材（３０）は、第１係止部（３０１）と第２係止部（３０２）とを含み、発音部材（１０）は、第１取付部（１０１）を含み、バックプレート（２０）は、第２取付部（２０１）を含み、第１取付部（１０１）は、第１係止部（３０１）と第２係止部（３０２）との一方に係止され、第２取付部（２０１）は、第１係止部（３０１）と第２係止部（３０２）との他方に係止される。そこで、発音部材はバックプレートに固定される。本発明の少なくとも一実施例に係る発音モジュールによれば、音響効果が向上し、コストダウンになり、産能の最適化が図れる。
2019522385.tif 000002
【特許請求の範囲】
【請求項１】
発音部材と、バックプレートと、少なくとも１つの弾性部材と、を備える発音モジュールであって、
前記弾性部材は、第１係止部と第２係止部とを含み、
前記発音部材は、第１取付部を含み、
前記バックプレートは、第２取付部を含み、
前記第１取付部は、前記第１係止部に係止され、
前記第２取付部は、前記第２係止部に係止される発音モジュール。
【請求項２】
前記弾性部材は、本体と、前記本体から突出され前記本体において順番に配列される第１突出部、第２突出部および第３突出部と、を含み、
前記第１突出部と前記第２突出部と前記本体との間には、前記第１係止部が形成され、
前記第２突出部と前記第３突出部と前記本体との間には、前記第２係止部が形成される請求項１に記載の発音モジュール。
【請求項３】
２つの弾性部材を含み、
前記２つの弾性部材は、それぞれ前記発音部材の両側に設けられる請求項１または２に記載の発音モジュール。
【請求項４】
３つの弾性部材を含み、
そのうちの２つの弾性部材はそれぞれ前記発音部材の両側に設けられ、もう１つの弾性部材は前記発音部材の第３側に設けられる請求項１または２に記載の発音モジュール。
【請求項５】
前記第１取付部は、前記第１係止部に対応した形状に形成され、
前記第２取付部は、前記第２係止部に対応した形状に形成される請求項２に記載の発音モジュール。
【請求項６】
前記本体は、円柱体を含む請求項５に記載の発音モジュール。
【請求項７】
前記第１突出部、前記第２突出部および前記第３突出部は、前記本体においてその中心軸の方向に順次に配列される請求項６に記載の発音モジュール。
【請求項８】
前記第１突出部、前記第２突出部および前記第３突出部は、それぞれ前記本体の中心軸に垂直な方向に沿って前記本体から突出される請求項７に記載の発音モジュール。
【請求項９】
前記第１突出部、前記第２突出部および前記第３突出部は、前記本体の周りに沿って一周に亘り前記本体から突出される請求項８に記載の発音モジュール。
【請求項１０】
前記第１取付部と前記第１係止部との係止長さは、前記本体の円周の周長の半分よりも大きく、
前記第２取付部と前記第２係止部との係止長さは、前記本体の円周の周長に等しい請求項８に記載の発音モジュール。
【請求項１１】
前記弾性部材には、第１溝が設けられ、
前記第１取付部には、前記第１溝に対応した第１突起が設けられる請求項２〜１０のいずれか一項に記載の発音モジュール。
【請求項１２】
前記第１取付部は、開口または貫通穴を含み、
前記第１突起は、前記第１取付部の前記開口または貫通穴に挿通されるか、あるいは前記第１取付部の前記開口または貫通穴の一側に位置されるとともに、前記第１取付部に対して垂直な方向に前記第１取付部から突出される請求項１１に記載の発音モジュール。
【請求項１３】
前記第２取付部は、貫通穴を含む請求項１〜１２のいずれか一項に記載の発音モジュール。
【請求項１４】
前記弾性部材の材質は、ゴムを含む請求項１〜１２のいずれか一項に記載の発音モジュール。
【請求項１５】
請求項１〜１４のいずれか一項に記載の発音モジュールを備える表示装置。
【発明の詳細な説明】
【技術分野】
【０００１】
本発明の少なくとも一実施例は、発音モジュールおよび表示装置に関する。
【背景技術】
【０００２】
例えばテレビのような表示装置に対し、ユーザが１番気にするのが画質で、２番目が音響効果であるため、よい音響効果はユーザ体験を向上できる。
【発明の概要】
【発明が解決しようとする課題】
【０００３】
本発明の少なくとも一実施例は、発音モジュールおよび表示装置に関し、よって、音響効果が向上し、コストダウンになり、産能が最適化される。
【課題を解決するための手段】
【０００４】
本発明の少なくとも一実施例は、発音部材と、バックプレートと、少なくとも１つの弾性部材と、を備える発音モジュールであって、前記弾性部材は、第１係止部と第２係止部とを含み、前記発音部材は、第１取付部を含み、前記バックプレートは、第２取付部を含み、前記第１取付部は、前記第１係止部に係止され、前記第２取付部は、前記第２係止部に係止される発音モジュールを提供する。そこで、前記発音部材は前記バックプレートに固定される。
【０００５】
本発明の少なくとも一実施例は、本発明の実施例に係る発音モジュールのいずれかを備える表示装置を提供する。
【０００６】
以下、本発明の実施例に係る技術思想をより明確に説明するため、実施例の図面について簡単に説明する。下で述べる図面は勿論、単なる本発明の実施例の一部に触れており、本発明はこれらに限定するものではない。
【図面の簡単な説明】
【０００７】
【図１】図１は、スピーカと完成品との従来の取付態様の模式図である。
【図２】図２は、本発明の一実施例に係る発音モジュールの立体模式図である。
【図３ａ】図３ａは、本発明の一実施例に係る発音モジュールの弾性部材の立体模式図である。
【図３ｂ】図３ｂは、本発明の一実施例に係る発音モジュールの弾性部材の別の視点から見た立体模式図である。
【図４】図４は、本発明の一実施例に係る発音モジュールの発音部材の立体模式図である。
【図５】図５は、本発明の一実施例に係る発音モジュールのバックプレートの立体模式図である。
【図６ａ】図６ａは、本発明の一実施例に係る発音モジュールにおける発音部材と弾性部材との組み付け構造を示す立体模式図である。
【図６ｂ】図６ｂは、本発明の一実施例に係る発音モジュールにおけるバックプレートと弾性部材との組み付け構造を示す模式図である。
【図７】図７は、本発明の他の実施例に係る発音モジュールの模式図である。
【発明を実施するための形態】
【０００８】
以下、本発明の目的、技術手段、およびメリットをより明白にするため、本発明の実施例に係る技術思想について本発明の実施例の図面を参照しながら全体として明確に説明する。説明された実施例が本発明の一部の実施例のみであり、本発明の全ての実施例ではないことは明白であろう。当業者には、開示された本発明の実施例に基づき、容易に成し遂げることができた他の実施例の全ては本発明の精神から逸脱しない。
【０００９】
特に定義しない限り、本開示に使用された技術用語または科学用語は、当業者に理解される一般的な意味である。本開示に使用された「第１」、「第２」及び類似する用語は、順番、数量や重要度を表すものではなく、異なる構成要素を区別させるものに過ぎない。同様に、「１個」、「１つ」、もしくは「当該」などのような用語も数量を制限するわけではなく、少なくとも１つ存在することを表す。「備える」、「含む」および類似する用語は、挙げられた要素に加えて、他の要素が共存してもよいことを意味する。「上」、「下」、「左」、「右」等の用語は、相対的位置関係を表すものに過ぎず、説明しようとする対象の絶対的位置が変わると、その相対的位置関係がそれ相応に変わる場合もある。
【００１０】
音響効果の向上について、品質のよいスピーカを選択すること以外、スピーカと完成品（表示装置のバックプレート）との取付構造や態様も音響効果に大きい影響を与える。スピーカと完成品とがよく固定されなければ、品質のよいスピーカが選択されても、完成品が出す音響効果も大幅に落ちてしまう。
【００１１】
図１に示すように、一般的に、スピーカ０１はねじ０４によるロックによってバックプレート０２に固定され、バックプレート０２の取付部０２１にはゴムリング０３が設けられ、ゴムリング０３はねじ０４によってバックプレート０２の取付部０２１に固定され、スピーカの取付部０１１はゴムリング０３の中に取り付けられ。よって、スピーカは完成品に取り付けられる。スピーカが発音するときに、完成品はこのような接続構造のスピーカにつれられて振動され、「ツーツー」の音が出され、スピーカの全体的な音響効果が影響される。そして、このような接続構造はねじでロックする必要があり、工程が複雑で、操作が煩雑で、産能の最適化に不利である。
【００１２】
本発明の少なくとも１つの実施例は、発音部材と、バックプレートと、少なくとも１つの弾性部材と、を備える発音モジュールを提供する。弾性部材は、第１係止部と第２係止部とを含み、発音部材は、第１取付部を含み、バックプレートは、第２取付部を含み、第１取付部は、第１係止部と第２係止部との一方に係止され、第２取付部は、第１係止部と第２係止部との他方に係止される。そこで、発音部材はバックプレートに固定される。
【００１３】
本発明の少なくとも１つの実施例に係る発音モジュールによれば、音響効果が向上し、コストダウンになり、産能が最適化される。
【００１４】
以下、具体的な実施例をいくつか挙げて説明する。
実施例１
【００１５】
図２に示すように、本実施例は、発音部材１０と、バックプレート２０と、少なくとも１つの弾性部材３０と、を備える発音モジュールを提供する。弾性部材３０は、第１係止部３０１と第２係止部３０２とを含み、発音部材１０は、第１取付部１０１を含み、バックプレート２０は、第２取付部２０１（図５に示される）を含み、第１取付部１０１は、第１係止部３０１と第２係止部３０２との一方に係止され、第２取付部２０１は、第１係止部３０１と第２係止部３０２との他方に係止される。そこで、発音部材１０はバックプレート２０に固定される。
【００１６】
本実施例に係る発音モジュールは、従来の発音部材と完成品との固定態様を変え、発音部材と弾性部材とバックプレート（完成品）との係合型の取付構造によって、発音部材が発音する際に完成品との振動周波数が低減され、全体的な音質の効果が向上される。
【００１７】
従来通常の取付方式に比べると、発音部材と完成品との接触部分は、全弾性部材係合型に変更され、よって、発音部材が発声する際に完成品との振動が低減され、発音部材の全体的な発声効果が最適化されることができ、また、生産の観点から見れば、工程が従来の複数から１つに低減され、人力作業が減少され、従来のロック型用のねじが節約され、よって、生産コストが低減され、産能が最適化されることができる。
【００１８】
図２に示すように、いくつかの例示において、発音モジュールは、それぞれ発音部材１０の両側に設けられた２つの弾性部材３０を含む。図２において２つの発音部材１０を示した。図２の左側の弾性部材３０は断面構造で示すことによって、発音部材１０の第１取付部１０１と弾性部材３０との対応した構造がよりよく示される。
【００１９】
本発明の実施例において、発音部材１０は例えばスピーカである。例えば、弾性部材３０はゴム素子を含むが、それに限定されるものではない。
【００２０】
図３ａと３ｂに示すように、いくつかの例示において、弾性部材３０は、本体３００と、本体３００から突出され本体３００において順番に配列された第１突出部３１１、第２突出部３１２および第３突出部３１３を含み、第１突出部３１１と第２突出部３１２と本体３００との間に第１係止部３０１が形成され、第２突出部３１２と第３突出部３１３と本体３００との間に第２係止部３０２が形成される。例えば、第１突出部３１１の下面と、第２突出部３１２の上面と、第１突出部３１１と第２突出部３１２との間に位置される本体３００と、の間に第１係止部３０１が形成され、第２突出部３１２の下面と、第３突出部３１３の上面と、第２突出部３１２と第３突出部３１３との間に位置される本体３００と、の間に第２係止部３０２が形成される。本例示に係る弾性部材３０は、形成した第１係止部３０１と第２係止部３０２とが、発音部材１０の第１取付部１０１とバックプレート２０の第２取付部２０１とをよりよく収納することができ、発音部材１０の支持に役立つ。弾性部材３０を利用して、発音部材１０とバックプレート２０とを固定する効果を果たす。弾性部材３０と完成品との接触面積が減少され、さらに弾性部材３０の柔軟性が利用されることで、発音部材１０が発声する際に完成品との振動周波数が軽減され、全体的な音質効果が向上される。
【００２１】
図３ａと３ｂに示すように、いくつかの例示において、本体３００は円柱体を含むが、それに限定されるものではない。例えば、第１突出部３１１、第２突出部３１２および第３突出部３１３は、この順に本体３００において本体の中心軸の方向３００１に沿って配列される。例えば、第１突出部３１１と第２突出部３１２と第３突出部３１３とは、それぞれ本体の中心軸の方向に対して垂直な方向３００２に沿って本体３００から突出される。例えば、第１突出部３１１と第２突出部３１２と第３突出部３１３とは、本体３００周りに沿って一周に亘り本体３００から突出される。
【００２２】
いくつかの例示において、第１取付部１０１は、それに係止される第１係止部３０１または第２係止部３０２の形状に対応され、第２取付部２０１は、それに係止される第２係止部３０２または第１係止部３０１の形状に対応される。よって、係止はさらに堅固になる。
【００２３】
図３ａと、図３ｂと、図４に示すように、いくつかの例示において、弾性部材３０には第１溝３３１が設けられ、第１取付部１０１には第１溝３３１に対応される第１突起１０２が設けられる。発音部材１０が一定な重量を持つため、第１溝３３１と第１突起１０２とを設けることで、発音部材１０と弾性部材３０との係止をさらに堅固にならせ、発音部材１０をよりよく支持することができる。なお、第１溝３３１と第１突起１０２とを設けなくてもよく、本発明の実施例はそれを限定しない。
【００２４】
例えば、如図４に示すように、第１取付部１０１は開口１０１１を１つ含むが、それに限定されるものではなく、例えば、第１取付部１０１は貫通穴を１つ含んでもよい。開口または貫通穴は、第１係止部３０１または第２係止部３０２に係止されるように配置される。図２にも示すように、第１突起１０２は、第１取付部１０１の開口または貫通穴の中に設けられるとともに、第１取付部１０１に対して垂直な方向に第１取付部１０１から突出される。図２において、第１突起１０２は開口１０１に挿通される。もちろん、第１突起１０２は第１取付部１０１の開口または貫通穴の一側に位置されてもよく、本実施例はそれに限定されるものではない。なお、本実施例は、第１取付部１０１と第１突起１０２との形状を限定しない。
【００２５】
図３ａと、図３ｂと、図４と、図５に示すように、いくつかの例示において、第１取付部１０１と、第１係止部３０１と第２係止部３０２との一方とが係止される係止長さは、本体３００の円周の周長の半分よりも大きく、第２取付部２０１と、第１係止部３０１と第２係止部３０２との他方とが係止される係止長さは、本体３００の円周の周長に等しい。よって、係止はさらに堅固になる。図5には第２取付部２０１が貫通穴２０１１を１つ含むことを示した。貫通穴２０１１とバックプレート１０とが係止される模式図は図６ｂに示す通りである。
【００２６】
図６ａには発音部材１０と弾性部材３０との取付模式図が示され、図６ｂにはバックプレート２０と弾性部材３０との取付模式図を示した。例えば、取り付ける際に、発音部材１０の第１取付部１０１と、弾性部材３０の第１係止部３０１とを係止可能になり、例えば、第１取付部１０１の開口または貫通穴を第１突出部３１１と第２突出部３１２との間に位置される本体３００に接触させる。第１溝３３１と第１突起１０２とが設けられた場合に、弾性部材３０と発音部材１０が係止される際に、第１溝３３１と第１突起１０２とも互いに対応される。そして、弾性部材３０の第２係止部３０２をバックプレート２０に係止させ、例えば、第３突出部３１３をバックプレート２０の第２取付部２０１の貫通穴２０１１に挿通させるとともに第２突出部３１２と第３突出部３１３との間における本体３００を貫通穴２０１１の中に入れる。もちろん、先に弾性部材３０とバックプレート２０とを取り付けてから弾性部材３０と発音部材１０とを取り付けてもよく、本実施例はそれを限定しない。例えば、図６ａに示すように、発音部材１０の第１取付部１０１は弾性部材３０に緊密的に接触される。例えば、第１取付部１０１の上面は第１突出部３１１の下面に緊密的に接触され、第１取付部１０１の下面は第２突出部３１２の上面に緊密的に接触され、第１取付部１０１の開口または貫通穴の縁は第１突出部３１１と第２突出部３１２との間に位置される本体３００に緊密的に接触される。例えば、図６ｂに示すように、バックプレート２０の第２取付部２０１は弾性部材３０にも緊密的に接触される。例えば、第２取付部２０１の上面は第２突出部３１２の下面に緊密的に接触され、第２取付部２０１の下面は第３突出部３１３の上面に緊密的に接触され、第１取付部２０１例えば貫通穴の縁は第２突出部３１２と第３突出部３１３との間に位置される本体３００に緊密的に接触される。本実施例に係る弾性部材３０によれば、発音部材１０とバックプレート２０との取り付けの操作性が向上し、より便利になり、生産ラインの効率の向上や人力コストの節約が図られ、通常の発音部材とバックプレートとが固定接続される際に必要となるねじも節約し、よって、材料のコストも下げ、現在の市場のニーズを満すようになる。
【００２７】
実施例２
図７に示すように、本実施例と実施例１との異なる箇所は、発音モジュールが弾性部材３０を３つ含み、そのうちの２つの弾性部材３０がそれぞれ発音部材１０の両側（第１側１００１と第２側１００２）に設けられ、もう１つの弾性部材３０が発音部材１０の第３側１００３に設けられることにある。例えば、発音モジュールは弾性部材３０を４つ含んでもよく、４つ目の弾性部材は第３側に対向する第４側１００４に位置されてもよい。
【００２８】
なお、本発明の実施例において、各発音部材１０を取り付けるための弾性部材３０の数は限定されない。
【００２９】
それ以外は実施例１の説明を参考してもよいため、ここで省略する。
【００３０】
実施例３
本実施例は、本発明の実施例に記載したいずれかの発音モジュールを含む表示装置を提供する。
【００３１】
いくつかの例示において、表示装置はテレビを含むが、それに限定されるものではない。
【００３２】
なお、
（１）特に定義しない限り、本発明の実施例と図面における同一の符号は同一の意味を表す。
（２）本発明の実施例に係る図面において、本発明の実施例に関する構造のみに関し、その他の構造は通常の設計を参考してもよい。
（３）明確にするためには、本発明の実施例を説明するための図面において、部品または領域の厚さが拡大される場合もある。
（４）互いに矛盾しない限り、本発明の異なる実施例または同一の実施例における特徴を組み合わせることが可能である。
【００３３】
上記したのは、本発明の具体的な実施形態のみに過ぎなく、本発明の保護範囲はこれに限定されるものではなく、当業者が本発明に開示された技術範囲内において考えられるすべての変更または置換は、本発明の保護範囲内に含まれるべきである。そのため、本発明の保護範囲は前記請求項の保護範囲によって確定されるべきである。
【００３４】
本願は、２０１６年５月２６日に出願された中国特許出願第２０１６２０４９７９３０.７号の優先権を主張し、上記出願の全ての内容は参照により本明細書の一部として組み込まれた。
【符号の説明】
【００３５】
０１  スピーカ
０１１  スピーカの取付部
０２  バックプレート
０３  ゴムリング
０４  ナット
０２１  バックプレートにおける取付部
１０  発音部材
２０  バックプレート
３０  弾性部材
１０１  第１取付部
１０２  第１突起
２０１  第２取付部
３００  本体
３０１  第１係止部
３０２  第２係止部
３１１  第１突出部
３１２  第２突出部
３１３  第３突出部
３３１  第１溝
１０１１  開口
２０１１  貫通穴
３００１  本体の中心軸の方向
３００２  本体の中心軸に対して垂直な方向
１００１  発音部材の第１側
１００２  発音部材の第２側
１００３  発音部材の第３側
１００４  発音部材の第４側
【図１】
2019522385.tif 000003
【図２】
2019522385.tif 000004
【図３ａ】
2019522385.tif 000005
【図３ｂ】
2019522385.tif 000006
【図４】
2019522385.tif 000007
【図５】
2019522385.tif 000008
【図６ａ】
2019522385.tif 000009
【図６ｂ】
2019522385.tif 000010
【図７】
2019522385.tif 000011
【国際調査報告】
2019522385.tif 000012
2019522385.tif 000013
2019522385.tif 000014
2019522385.tif 000015
2019522385.tif 000016
2019522385.tif 000017